(57)【要約】【課題】  ＣＴ１次試験の作業時間の短縮及び作業員の感電防止を図ることができるＣＴ１次試験用回路切替装置及び切替方法を提供する。【解決手段】  ＣＴ１次試験用回路切替装置（１０）は、試験回路から試験電流入力端子（１１）に入力された試験電流を第１乃至第３の出力端子（５１，５２，５３）のうちの所定の出力端子から出力し、変流器（ＣＴ）から戻ってくる試験電流を第１乃至第３の入力端子（６１，６２，６３）のうちの所定の入力端子に入力し、この試験電流を試験電流出力端子（１２）から試験回路へ出力するようにそれぞれ開閉される複数個のスイッチ（２１，２２，３２，３３，３４）を具備する。【選択図】  図１
2007037309.tif 000002
【特許請求の範囲】
【請求項１】
試験回路から試験電流を流して行うＣＴ１次試験に用いられる回路切替装置であって、
前記試験回路から試験電流を入力するための試験電流入力端子と、
前記試験回路へ試験電流を出力するための試験電流出力端子と、
第１乃至第３の出力端子と、
第１乃至第３の入力端子と、
前記ＣＴ１次試験に含まれる１相宛て試験を行う場合には、前記試験電流入力端子に入力された試験電流を前記第１乃至第３の出力端子のうちの所定の出力端子から出力し、その試験電流出力を前記第１乃至第３の入力端子のうちの所定の入力端子から入力し、その試験電流入力を前記試験電流出力端子から出力し、
前記ＣＴ１次試験に含まれるタスキがけ試験を行う場合には、前記試験電流入力端子に入力された試験電流を前記第１の出力端子から出力し、その試験電流出力を前記第１の入力端子から入力し、その試験電流入力を前記第２の出力端子から外部に出力し、その試験電流出力を前記第２の入力端子から入力し、その試験電流入力を前記第３の出力端子から出力し、その試験電流出力を前記第３の入力端子から入力し、その試験電流入力を前記試験電流出力端子から出力するように設定される切替手段と
を具備することを特徴とするＣＴ１次試験用回路切替装置。
【請求項２】
請求項１記載のＣＴ１次試験用回路切替装置において、前記切替手段は、
送電線の第１相について１相宛て試験を行う場合には、前記試験回路から前記試験電流入力端子に入力された試験電流を前記第１の出力端子から外部に出力し、該外部に出力された試験電流を前記第１の入力端子を介して入力し、該入力された試験電流を前記試験電流出力端子から前記試験回路に出力し、
前記送電線の第２相について１相宛て試験を行う場合には、前記試験回路から前記試験電流入力端子に入力された試験電流を前記第２の出力端子から外部に出力し、該外部に出力された試験電流を前記２の入力端子を介して入力し、該入力された試験電流を前記試験電流出力端子から前記試験回路に出力し、
前記送電線の第３相について１相宛て試験を行う場合には、前記試験回路から前記試験電流入力端子に入力された試験電流を前記第３の出力端子から外部に出力し、該外部に出力された試験電流を前記３の入力端子を介して入力し、該入力された試験電流を前記試験電流出力端子から前記試験回路に出力するように開閉される複数のスイッチで構成されている
ことを特徴とするＣＴ１次試験用回路切替装置。
【請求項３】
試験回路から変流器に試験電流を流して行うＣＴ１次試験に用いられる回路切替装置であって、
前記試験回路からの試験電流を入力するための試験電流入力端子（１１）と、
前記試験回路へ試験電流を出力するための試験電流出力端子（１２）と、
前記変流器の１次側の３相にそれぞれ接続される第１乃至第３の出力端子（５１〜５３）と、
前記変流器の２次側の３相にそれぞれ接続される第１乃至第３の入力端子（６１〜６３）と、
前記試験電流入力端子（１１）に入力された試験電流を前記第１乃至第３の出力端子（５１〜５３）へそれぞれ流す第１乃至第３の電流経路と、
前記第１の入力端子（６１）から入力した試験電流を前記第２の出力端子（５２）へ流す第４の電流経路と、
前記第２の電流経路と前記第４の電流経路の一方を接続するとともに他方を切断する第１のスイッチ（２１）と、
前記第２の入力端子（６２）から入力した試験電流を前記第３の出力端子（５３）へ流す第５の電流経路と、
前記第３の電流経路と前記第５の電流経路の一方を接続するとともに他方を切断する第２のスイッチ（２２）と、
前記第１乃至第３の入力端子（６１〜６３）から入力した試験電流をそれぞれ前記試験電流出力端子（１２）へ流す第６乃至第８の電流経路と、
前記第６乃至第８の電流経路をそれぞれ断続する第３乃至第５のスイッチ（３２〜３４）と
を具備することを特徴とするＣＴ１次試験用回路切替装置。
【請求項４】
請求項３記載のＣＴ１次試験用回路切替装置において、
前記第１のスイッチ（２１）は、前記第１の出力端子（５１）、前記第２の出力端子（５２）及び前記第１の入力端子（６１）に第１端子、第２端子及び第３端子がそれそれ接続された第１の３端子スイッチで構成され、
前記第２のスイッチ（２２）は、前記第２の出力端子（５２）、前記第３の出力端子（５３）及び前記第２の入力端子（６２）に第１端子、第２端子及び第３端子がそれそれ接続された第２の３端子スイッチで構成されている
ことを特徴とするＣＴ１次試験用回路切替装置。
【請求項５】
請求項３記載のＣＴ１次試験用回路切替装置において、
前記第１のスイッチ（２１）は、前記第２の電流経路と前記第４の電流経路の一方を接続するときは他方を切断するように設けられた一対の連動スイッチ（１０１，１０２）で構成され、
前記第２のスイッチ（２２）は、前記第３の電流経路と前記第５の電流経路の一方を接続するときは他方を切断するように設けられた他の一対の連動スイッチ（１０３，１０４）で構成されている
ことを特徴とするＣＴ１次試験用回路切替装置。
【請求項６】
請求項３乃至５のいずれか記載のＣＴ１次試験用回路切替装置において、
前記第１の電流経路に接続された第１の接地端子（４１）と、
前記第６の電流経路に第６のスイッチ（３１）を介して接続される第２の接地端子（４２）と
を更に具備することを特徴とするＣＴ１次試験用回路切替装置。
【請求項７】
試験回路からＣＴ１次試験用回路切替装置を介して試験電流を流してＣＴ１次試験を行うＣＴ１次試験用回路切替方法であって、
ＣＴ１次試験に含まれる１相宛て試験を行う場合には、
前記試験回路からの試験電流を前記ＣＴ１次試験用回路切替装置の試験電流入力端子を介して該ＣＴ１次試験用回路切替装置に入力し、
該入力した試験電流を前記ＣＴ１次試験用回路切替装置の第１乃至第３の出力端子のうちの所定の出力端子から出力し、
該出力した試験電流を前記ＣＴ１次試験用回路切替装置の第１乃至第３の入力端子のうちの所定の入力端子のみを介して該ＣＴ１次試験用回路切替装置に入力し、
該入力した試験電流を前記ＣＴ１次試験用回路切替装置の試験電流出力端子を介して前記試験回路に出力するように、
前記ＣＴ１次試験用回路切替装置の複数個のスイッチをそれぞれ開閉し、
ＣＴ１次試験に含まれるタスキがけ試験を行う場合には、
前記試験回路から試験電流を前記試験電流入力端子を介して該ＣＴ１次試験用回路切替装置に入力し、
該入力した試験電流を前記第１の出力端子から出力し、
該出力した試験電流を前記第１の入力端子を介して前記ＣＴ１次試験用回路切替装置に入力し、
該入力した試験電流を前記第２の出力端子から出力し、
該出力した試験電流を前記第２の入力端子を介して前記ＣＴ１次試験用回路切替装置に入力し、
該入力した試験電流を前記第３の出力端子から出力し、
該出力した試験電流を前記第３の入力端子を介して前記ＣＴ１次試験用回路切替装置に入力し、
該入力した試験電流を前記試験電流出力端子を介して前記試験回路に出力するように、前記複数個のスイッチをそれぞれ開閉する
ことを特徴とするＣＴ１次試験用回路切替方法。
【請求項８】
請求項７記載のＣＴ１次試験用回路切替方法において、
送電線の第１相について１相宛て試験を行う場合には、前記試験回路から試験電流を前記試験電流入力端子を介して前記ＣＴ１次試験用回路切替装置に入力し、該入力した試験電流を前記第１の出力端子から出力し、該出力した試験電流を前記第１の入力端子を介してのみ前記ＣＴ１次試験用回路切替装置に入力し、該入力した試験電流を前記試験電流出力端子を介して前記試験回路に出力し、
前記送電線の第２相について１相宛て試験を行う場合には、前記試験回路から試験電流を前記試験電流入力端子を介して前記ＣＴ１次試験用回路切替装置に入力し、該入力した試験電流を前記第２の出力端子から出力し、該出力した試験電流を前記２の入力端子を介してのみ前記ＣＴ１次試験用回路切替装置に入力し、該入力した試験電流を前記試験電流出力端子を介して前記試験回路に出力し、
前記送電線の第３相について１相宛て試験を行う場合には、前記試験回路から試験電流を前記試験電流入力端子を介して前記ＣＴ１次試験用回路切替装置に入力し、該入力した試験電流を前記第３の出力端子から出力し、該出力した試験電流を前記３の入力端子を介してのみ前記ＣＴ１次試験用回路切替装置に入力し、該入力した試験電流を前記試験電流出力端子を介して前記試験回路に出力するように、前記ＣＴ１次試験用回路切替装置の前記複数個のスイッチをそれぞれ開閉することを特徴とするＣＴ１次試験用回路切替方法。
【発明の詳細な説明】
【技術分野】
【０００１】
本発明は、変流器（以下「ＣＴ」という）を含む保護継電器の諸特性を確認するために当該ＣＴの１次側から試験電流を流して行う試験（「ＣＴ１次試験」という）に用いるのに好適なＣＴ１次試験用回路切替装置及びＣＴ１次試験用回路切替方法に関する。
【背景技術】
【０００２】
電力会社においては、例えば、ＣＴが付属する遮断器や保護継電器を取り替えた場合、或いはＣＴ回路（ＣＴに関係する回路）の接続を変更した場合には、ＣＴの１次側から試験電流（試験電気量）を流すことによりＣＴ１次試験を行っている。
【０００３】
ＣＴ１次試験には、送電線の３相（赤相、白相、青相と称される）の各相毎に通電する「１相宛て試験」と、３相直列で通電する「タスキがけ試験」とがある。「１相宛て試験」は、ＣＴの１次側から１相ずつ（例えば、図７に示すように赤相から順に）試験電流ｉ(A)を流していくことにより、正相回路のチェック（ＣＴ比及び極性のチェック）を行う試験である。また、「タスキがけ試験」は、図８に示すように、ＣＴの１次側からタスキがけで送電線の３相に試験電流ｉ(A)を流すことにより、零相回路のチェック及び地絡方向継電器の整定チェックを行う試験である。
【０００４】
従来、このようなＣＴ１次試験においては、図９に示すように、母線（ブス）側の送電線の各相（赤相、白相及び青相）にそれぞれ取り付けられている断路器（ＬＳ）１５１〜１５３が、後述の作業手順により、線路（ライン）側の送電線の各相（赤相、白相及び青相）にそれぞれ取り付けられている断路器（ＬＳ）１５４〜１５６に、遮断器（ＣＢ）１６０を介して接続される。
【０００５】
まず、「１相宛て試験」を行うときの作業手順について、図９から図１２を参照して説明する。
（１）図９に示すように、遮断器１６０の両側の断路器１５１〜１５６をすべて「切」状態にするとともに、遮断器１６０を「入」状態にする。母線側の断路器１５１〜１５３には、各々の遮断器１６０側の接点を接地端子を介してアースに接続することにより、安全上の乙種アースを付ける。また、線路側の断路器１５４〜１５６にも、同様に遮断器１６０側の接点を接地端子を介してアースに接続することにより、安全上の乙種アースを付ける。
（２）図１０に示すように、屋内の試験装置（図示せず）から延びた極性側のケーブルＫを母線側の乙種アースと一緒に接地する。
（３）母線側の赤相が接地されていることを確認し、線路側の赤相の接地端子を外して遮断器１６０の架台に「あだ巻き」する。
（４）図１１に示すように、屋内の試験装置から非極性側のケーブルＬを線路側の赤相の接地端子に接続して、屋内の試験装置から試験電流を流すことにより、「赤相」についての１相宛て試験を行う。
（５）赤相についての１相宛て試験が終了すると、図１２に示すように、ケーブルＬを外し、遮断器１６０の架台から外した線路側の赤相の接地端子を用いて、線路側の赤相断路器１５４の遮断器側接点を乙種アースに接続する。
（６）次に、白相について、上記（３）及び（４）の作業を行うことにより、「白相」の１相宛て試験を行う。
（７）白相について１相宛て試験が終了すると、上記（５）の作業を行った後、青相について上記（３）及び（４）の作業を行うことにより、「青相」の１相宛て試験を行う。
（８）青相について１相宛て試験が終了すると、上記（５）の作業を行った後、極性側のケーブルＫを母線側の接地端子及びアースから外す。
【０００６】
次に、「タスキがけ試験」を行うときの作業手順について、図１３から図１６を参照して説明する。
（１）図１３に示すように、両側の断路器１５１〜１５６をすべて「切」状態にするとともに、遮断器１６０を「入」状態にする。母線側の断路器１５１〜１５３には、各々の遮断器１６０側の接点を接地端子を介してアースに接続することにより、安全上の乙種アースを付ける。また、線路側の断路器１５４〜１５６にも、同様に遮断器１６０側の接点を接地端子を介してアースに接続することにより、安全上の乙種アースを付ける。
（２）図１４に示すように、屋内の試験装置から極性側のケーブルＫを母線側の乙種アースと一緒に接地する。
（３）母線側の赤相が接地されていることを確認し、線路側の赤相乙種アースの接地端子を外して遮断器１６０の架台に「あだ巻き」する。
（４）線路側の白相が接地されていることを確認し、母線側の白相乙種アースの接地端子を外して遮断器１６０の架台に「あだ巻き」する。
（５）線路側の赤相乙種アースの接地端子と母線側の白相乙種アースの接地端子とをタスキ用銅バーを用いて接続する。このとき、線路側の赤相乙種アースの接地端子と母線側の白相乙種アースの接地端子は、遮断器１６０の架台にあだ巻きしている状態で接続し、地面より浮かして接続する。
（６）図１５に示すように、母線側の白相が接地されていることを確認し、線路側の白相乙種アースの接地端子を外して遮断器１６０の架台にあだ巻きする。
（７）線路側の青相が接地されていることを確認し、母線側の青相乙種アースの接地端子を外して遮断器１６０の架台にあだ巻きする。
（８）線路側の白相乙種アースの接地端子と母線側の青相乙種アースの接地端子とをタスキ用銅バーを用いて接続する。このとき、線路側の白相乙種アースの接地端子と母線側の青相乙種アースの接地端子は、遮断器１６０の架台にあだ巻きしている状態で接続し、地面より浮かして接続する。
（９）図１６に示すように、母線側の青相が接地されていることを確認し、線路側の青相乙種アースの接地端子を外して遮断器１６０の架台にあだ巻きする。
（１０）屋内の試験装置から延びた非極性側のケーブルＬと線路側の青相の接地端子とを接続した後、屋内の試験装置から試験電流を流すことにより、タスキがけ試験を行う。
（１１）この「タスキがけ試験」が終了すると、上記（１）〜（１０）の作業を逆の順番で行い、非極性側のケーブルＬ、極性側のケーブルＫと母線側及び線路側乙種アースの接地端子の接続を外していく。
【０００７】
なお、ＣＴ１次試験に関する先行技術文献は見当たらなかったが、本出願人は、下記特許文献１に示されるように、送電線保護装置のリレー試験などでＣＴ回路をバイパスすることにより、停電を含む機能停止範囲の極小化と時間短縮を図るようにしたリレー試験用ＣＴ回路バイパス装置を提案している。
【０００８】
【特許文献１】特開平８−１９１５９号公報
【発明の開示】
【発明が解決しようとする課題】
【０００９】
しかしながら、上記のようなＣＴ１次試験における作業は全て作業員の手で行われているため、作業時間が長く手間がかかることに加えて、安全上母線側及び線路側の接続端子のアースが不可欠であり、それが不完全であると作業中に感電する危険がある。
【００１０】
本発明は、以上の状況に鑑みてなされたものであり、ＣＴ１次試験の手間を低減し作業時間を短縮するとともに感電の恐れをなくしたＣＴ１次試験用回路切替装置と、これを用いて行うＣＴ１次試験用回路切替方法とを提供することを目的とする。
【課題を解決するための手段】
【００１１】
本発明は、試験回路から試験電流を流して行うＣＴ１次試験に用いられる回路切替装置であって、
前記試験回路から試験電流を入力するための試験電流入力端子と、
前記試験回路へ試験電流を出力するための試験電流出力端子と、
第１乃至第３の出力端子と、
第１乃至第３の入力端子と、
前記ＣＴ１次試験に含まれる１相宛て試験を行う場合には、前記試験電流入力端子に入力された試験電流を前記第１乃至第３の出力端子のうちの所定の出力端子から出力し、その試験電流出力を前記第１乃至第３の入力端子のうちの所定の入力端子から入力し、その試験電流入力を前記試験電流出力端子から出力し、前記ＣＴ１次試験に含まれるタスキがけ試験を行う場合には、前記試験電流入力端子に入力された試験電流を前記第１の出力端子から出力し、その試験電流出力を前記第１の入力端子から入力し、その試験電流入力を前記第２の出力端子から外部に出力し、その試験電流出力を前記第２の入力端子から入力し、その試験電流入力を前記第３の出力端子から出力し、その試験電流出力を前記第３の入力端子から入力し、その試験電流入力を前記試験電流出力端子から出力するように設定される切替手段と
を具備することを特徴とする。
【００１２】
本発明の実施態様では、上記切替手段は、送電線の第１相について１相宛て試験を行う場合には、前記試験回路から前記試験電流入力端子に入力された試験電流を前記第１の出力端子から外部に出力し、該外部に出力された試験電流を前記第１の入力端子を介して入力し、該入力された試験電流を前記試験電流出力端子から前記試験回路に出力し、前記送電線の第２相について１相宛て試験を行う場合には、前記試験回路から前記試験電流入力端子に入力された試験電流を前記第２の出力端子から外部に出力し、該外部に出力された試験電流を前記２の入力端子を介して入力し、該入力された試験電流を前記試験電流出力端子から前記試験回路に出力し、前記送電線の第３相について１相宛て試験を行う場合には、前記試験回路から前記試験電流入力端子に入力された試験電流を前記第３の出力端子から外部に出力し、該外部に出力された試験電流を前記３の入力端子を介して入力し、該入力された試験電流を前記試験電流出力端子から前記試験回路に出力するように開閉される複数のスイッチで構成される。
【００１３】
また、本発明のＣＴ１次試験用回路切替装置は、
前記試験回路からの試験電流を入力するための試験電流入力端子と、
前記試験回路へ試験電流を出力するための試験電流出力端子と、
前記変流器の１次側の３相にそれぞれ接続される第１乃至第３の出力端子と、
前記変流器の２次側の３相にそれぞれ接続される第１乃至第３の入力端子と、
前記試験電流入力端子に入力された試験電流を前記第１乃至第３の出力端子へそれぞれ流す第１乃至第３の電流経路と、
前記第１の入力端子から入力した試験電流を前記第２の出力端子へ流す第４の電流経路と、
前記第２の電流経路と前記第４の電流経路の一方を接続するとともに他方を切断する第１のスイッチと、
前記第２の入力端子から入力した試験電流を前記第３の出力端子へ流す第５の電流経路と、
前記第３の電流経路と前記第５の電流経路の一方を接続するとともに他方を切断する第２のスイッチと、
前記第１乃至第３の入力端子から入力した試験電流をそれぞれ前記試験電流出力端子へ流す第６乃至第８の電流経路と、
前記第６乃至第８の電流経路をそれぞれ断続する第３乃至第５のスイッチと
を具備することを特徴とする。
【００１４】
このＣＴ１次試験用回路切替装置を用いてＣＴ１次試験を行うときは、第１乃至第３の出力端子を変流器の１次側の３相にそれぞれ接続するとともに、第１乃至第３の入力端子を変流器の２時側の３相にそれぞれ接続する。また、試験電流入力端子と試験電流出力端子を試験回路の電流出力部と電流入力部にそれぞれ接続する。
【００１５】
１相宛て試験を行う場合には、第１のスイッチにより第２の電流経路を接続するとともに第４の電流経路を切断し、また、第２のスイッチにより第３の電流経路を接続するとともに第５の電流経路を切断する。そして、送電線の３つの相の各々に対して第６乃至第８の電流経路がそれぞれ接続されるように第３乃至第５のスイッチの１つを閉じるとともに他の２つを開く。
【００１６】
詳細には、第１相（例えば、赤相）について１相宛て試験を行うとき、第３のスイッチを閉じるとともに第４及び第５のスイッチを開くことにより、第６の電流経路のみが接続され、第７及び第８の電流経路は切断される。ここで、試験回路から試験電流を試験電流入力端子に入力すると、その試験電流は、第１の電流経路を通って第１の出力端子から出力され、送電線の第１相から変流器の１次側を流れて、第１の入力端子に入力され、第６の電流経路を通って試験電流出力端子から出力され、試験回路の電流入力部に戻る。これにより、第１相についての１相宛て試験が行われる。
【００１７】
第２相（例えば、白相）について１相宛て試験を行うときは、第４のスイッチを閉じるとともに第３及び第５のスイッチを開くことにより、第７の電流経路のみが接続され、第６及び第８の電流経路は切断される。ここで、試験回路から試験電流を試験電流入力端子に入力すると、その試験電流は、第２の電流経路を通って第２の出力端子から出力され、送電線の第２相から変流器の１次側を流れて、第２の入力端子に入力され、第７の電流経路を通って試験電流出力端子から出力され、試験回路の電流入力部に戻る。これにより、第２相についての１相宛て試験が行われる。
【００１８】
第３相（例えば、青相）について１相宛て試験を行うときは、第５のスイッチを閉じるとともに第３及び第４のスイッチを開くことにより、第８の電流経路のみが接続され、第６及び第７の電流経路は切断される。ここで、試験回路から試験電流を試験電流入力端子に入力すると、その試験電流は、第３の電流経路を通って第３の出力端子から出力され、送電線の第３相から変流器の１次側を流れて、第３の入力端子に入力され、第８の電流経路を通って試験電流出力端子から出力され、試験回路の電流入力部に戻る。これにより、第３相についての１相宛て試験が行われる。
【００１９】
また、タスキがけ試験を行う場合には、第１のスイッチにより第２の電流経路を切断するとともに第４の電流経路を接続し、また、第２のスイッチにより第３の電流経路を切断するとともに第５の電流経路を接続する。そして、第３及び第４のスイッチを開くとともに第５のスイッチを閉じることにより、第６及び第７の電流経路は切断され、第８の電流経路のみが接続される。
【００２０】
ここで、試験回路から試験電流を試験電流入力端子に入力すると、その試験電流は、第１の電流経路を通って第１の出力端子から出力され、送電線の第１相から変流器の１次側を流れて、第１の入力端子に入力される。そして、第４の電流経路を通って第２の出力端子から出力され、送電線の第２相から変流器の１次側を流れて、第２の入力端子に入力される。そして、第５の電流経路を通って第３の出力端子から出力され、送電線の第３相から変流器の１次側を流れて、第３の入力端子に入力される。従って、この試験電流は、第８の電流経路を通って試験電流出力端子から出力され、試験回路の電流入力部に戻る。これによりタスキがけ試験が行われる。
【００２１】
上記ＣＴ１次試験用回路切替装置の実施態様では、
前記第１のスイッチは、前記第１の出力端子、前記第２の出力端子及び前記第１の入力端子に第１端子、第２端子及び第３端子がそれそれ接続された第１の３端子スイッチで構成され、
前記第２のスイッチは、前記第２の出力端子、前記第３の出力端子及び前記第２の入力端子に第１端子、第２端子及び第３端子がそれそれ接続された第２の３端子スイッチで構成される。
【００２２】
また、別の実施態様では、
前記第１のスイッチは、前記第２の電流経路と前記第４の電流経路の一方を接続するときは他方を切断するように設けられた一対の連動スイッチで構成され、
前記第２のスイッチは、前記第３の電流経路と前記第５の電流経路の一方を接続するときは他方を切断するように設けられた他の一対の連動スイッチで構成される。
【００２３】
更に、このＣＴ１次試験用回路切替装置は、前記第１の電流経路に接続された第１の接地端子と、前記第６の電流経路に第６のスイッチを介して接続される第２の接地端子とを具備することが好ましい。
【００２４】
本発明の方法は、試験回路からＣＴ１次試験用回路切替装置を介して試験電流を流してＣＴ１次試験を行うための切替方法であって、ＣＴ１次試験に含まれる１相宛て試験を行う場合には、前記試験回路から試験電流を前記ＣＴ１次試験用回路切替装置の試験電流入力端子を介して該ＣＴ１次試験用回路切替装置に入力し、該入力した試験電流を前記ＣＴ１次試験用回路切替装置の第１乃至第３の出力端子のうちの所定の出力端子から出力し、該出力した試験電流を前記ＣＴ１次試験用回路切替装置の第１乃至第３の入力端子のうちの所定の入力端子のみを介して該ＣＴ１次試験用回路切替装置に入力し、該入力した試験電流を前記ＣＴ１次試験用回路切替装置の試験電流出力端子を介して前記試験回路に出力するように、前記ＣＴ１次試験用回路切替装置の複数個のスイッチをそれぞれ開閉し、ＣＴ１次試験に含まれるタスキがけ試験を行う場合には、前記試験回路から試験電流を前記試験電流入力端子を介して該ＣＴ１次試験用回路切替装置に入力し、該入力した試験電流を前記第１の出力端子から出力し、該出力した試験電流を前記第１の入力端子を介して前記ＣＴ１次試験用回路切替装置に入力し、該入力した試験電流を前記第２の出力端子から出力し、該出力した試験電流を前記第２の入力端子を介して前記ＣＴ１次試験用回路切替装置に入力し、該入力した試験電流を前記第３の出力端子から出力し、該出力した試験電流を前記第３の入力端子を介して前記ＣＴ１次試験用回路切替装置に入力し、該入力した試験電流を前記試験電流出力端子を介して前記試験回路に出力するように、前記ＣＴ１次試験用回路切替装置の前記複数個のスイッチをそれぞれ開閉することを特徴とする。
【００２５】
ここで、送電線の第１相について１相宛て試験を行う場合には、前記試験回路から試験電流を前記試験電流入力端子を介して前記ＣＴ１次試験用回路切替装置に入力し、該入力した試験電流を前記第１の出力端子から出力し、該出力した試験電流を前記第１の入力端子を介してのみ前記ＣＴ１次試験用回路切替装置に入力し、該入力した試験電流を前記試験電流出力端子を介して前記試験回路に出力し、送電線の第２相について１相宛て試験を行う場合には、前記試験回路から試験電流を前記試験電流入力端子を介して前記ＣＴ１次試験用回路切替装置に入力し、該入力した試験電流を前記第２の出力端子から出力し、該出力した試験電流を前記２の入力端子を介してのみ前記ＣＴ１次試験用回路切替装置に入力し、該入力した試験電流を前記試験電流出力端子を介して前記試験回路に出力し、送電線の第３相について１相宛て試験を行う場合には、前記試験回路から試験電流を前記試験電流入力端子を介して前記ＣＴ１次試験用回路切替装置に入力し、該入力した試験電流を前記第３の出力端子から出力し、該出力した試験電流を前記３の入力端子を介してのみ前記ＣＴ１次試験用回路切替装置に入力し、該入力した試験電流を前記試験電流出力端子を介して前記試験回路に出力するように、前記ＣＴ１次試験用回路切替装置の複数個のスイッチをそれぞれ開閉してもよい。
【発明の効果】
【００２６】
本発明によれば、ＣＴ１次試験用回路切替装置が具備する複数個のスイッチを閉じる組合せを変更することにより「１相宛て試験」及び／又は「タスキがけ試験」を行うことができるので、ＣＴ１次試験の作業時間の短縮及び作業員の感電防止を図ることができる。
【発明を実施するための最良の形態】
【００２７】
以下、本発明の実施例について、図面を参照して説明する。
【００２８】
図１に示すＣＴ１次試験用回路切替装置１０は、試験電流入力端子１１と、試験電流出力端子１２と、第１及び第２のスイッチとしての３端子スイッチ２１，２２と、第３乃至第５のスイッチとしての２端子スイッチ３２〜３４と、第６のスイッチとしての２端子スイッチ３１と、第１及び第２の接地端子４１，４２と、第１乃至第３の出力端子５１〜５３と、第１乃至第３の入力端子６１〜６３とを具備する。
【００２９】
ここで、第１の３端子スイッチ２１の第１端子は、試験電流入力端子１１に接続され、第１の接地端子４１及び第１の出力端子５１は、試験電流入力端子１１及び第１の３端子スイッチ２１の第１端子に接続されている。
【００３０】
第２の３端子スイッチ２２の第１端子は、第１の３端子スイッチ２１の第２端子に接続され、第２の出力端子５２は、第１の３端子スイッチ２１の第２端子及び第２の３端子スイッチ２２の第１端子に接続され、第３の出力端子５３は、第２の３端子スイッチ２２の第２端子に接続されている。
【００３１】
２端子スイッチ３１〜３４の各第１端子は、すべて試験電流出力端子１２に接続されている。また、第２の接地端子４２は、２端子スイッチ３１の第２端子に接続され、第１乃至第３の入力端子６１〜６３は、２端子スイッチ３２〜３４の第２端子にそれぞれ接続されている。
【００３２】
第１の接地端子４１及び第２の接地端子４２は、乙種アースと一緒にそれぞれ接地されている。
【００３３】
次に、上記ＣＴ１次試験用回路切替装置１０を用いてＣＴ１次試験を行う方法の一例について、図２乃至図５を参照して説明する。
【００３４】
この実施例によるＣＴ１次試験は、図２に示すように、継電装置９０が接続された変流器（ＣＴ）８０に対して、試験回路７０から上記ＣＴ１次試験用回路切替装置１０を介して試験電流を入力することにより、「１相宛て試験」及び「タスキがけ試験」を行うものである。
【００３５】
ここで、試験回路７０は、試験電流出力端子７１と、試験電流入力端子７２と、電流調整器７３と、第１の電流計７４と、トランス７５と、第２の電流計７６と、位相計７７と、電圧計７８と、電圧位相調整器７９とを備えている。電流調整器７３から出力される試験電流は、第１の電流計７４及びトランス７５を介して試験電流出力端子７１からＣＴ１次試験用回路切替装置１０に供給される。そして、ＣＴ１次試験用回路切替装置１０から出力された試験電流は、試験電流入力端子７２を介して電流調整器７３に戻る。試験電流の電流値は、第１の電流計７４によって測定される。電圧位相調整器７９は、継電装置９０に入力される継電装置入力電圧の位相を試験電流と所定の位相差を持つように調整する。継電装置入力電圧の電圧値は電圧計７８により測定され、継電装置入力電圧と試験電流との位相差は位相計７７により測定される。また、位相計７７に入力される電流の電流値は、第２の電流計７６によって測定される。
【００３６】
作業員は、ＣＴ１次試験用回路切替装置１０の第６のスイッチ（２端子スイッチ）３１を閉じて、第３〜第５のスイッチ（２端子スイッチ）３２〜３４の第１端子を接地する。続いて、試験電流入力端子１１及び試験電流出力端子１２を、試験回路７０の試験電流出力端子７１及び試験電流入力端子７２にそれぞれ接続する。
【００３７】
その後、作業員は、ＣＴ１次試験用回路切替装置１０の第１〜第３の出力端子５１〜５３を、母線側の第１の断路器（ＬＳ）８１と変流器８０とを接続する送電線の３相すなわち赤相、白相及び青相にそれぞれ接続するとともに、ＣＴ１次試験用回路切替装置１０の第１〜第３の入力端子６１〜６３を、線路側の第２の断路器（ＬＳ）８２と変流器８０とを接続する送電線の赤相、白相及び青相にそれぞれ接続する。
【００３８】
（赤相について１相宛て試験を行う場合）
図２に示すように、ＣＴ１次試験用回路切替装置１０の第１及び第２のスイッチ２１，２２を各々の第１端子と第２端子が接続するようにそれぞれ閉じるとともに、第６のスイッチ３１を開き、第３〜第５のスイッチ３２〜３４のうちの第３のスイッチ３２のみを閉じる。これにより、矢印で示すように次の電流経路が形成される。
【００３９】
試験回路７０の試験電流出力端子７１
→ＣＴ１次試験用回路切替装置１０の試験電流入力端子１１から第１の出力端子５１へ至る第１の電流経路
→第１の断路器８１と変流器８０とを接続する送電線の赤相
→変流器８０
→変流器８０と第２の断路器８２とを接続する送電線の赤相
→ＣＴ１次試験用回路切替装置１０の第１の入力端子６１から第３のスイッチ３２を通って試験電流出力端子１２へ至る第６の電流経路
→試験回路７０の試験電流入力端子７２。
【００４０】
作業員は、試験回路７０の電流調整器７３を調整して所定の電流値の試験電流を流すとともに、継電装置９０に入力される電圧の位相を、試験電流と所定の位相差を持つように電圧位相調整器７９で調整することにより、赤相についての１相宛て試験を行う。この１相宛て試験が終了すると、作業員は、試験回路７０の電流調整器７３を調整して試験電流を流すのを止める。
【００４１】
（白相について１相宛て試験を行う場合）
図３に示すように、第３のスイッチ３２を開くとともに、第４のスイッチ３３を閉じる。これにより、矢印で示すように次の電流経路が形成される。
【００４２】
試験回路７０の試験電流出力端子７１
→ＣＴ１次試験用回路切替装置１０の試験電流入力端子１１から第１のスイッチ２１を通って第２の出力端子５２へ至る第２の電流経路
→第１の断路器８１と変流器８０とを接続する送電線の白相
→変流器８０
→変流器８０と第２の断路器８２とを接続する送電線の白相
→ＣＴ１次試験用回路切替装置１０の第２の入力端子６２から第４のスイッチ３３を通って試験電流出力端子１２へ至る第７の電流経路
→試験回路７０の試験電流入力端子７２。
【００４３】
作業員は、試験回路７０の電流調整器７３を調整して所定の電流値の試験電流を流すとともに、継電装置９０に入力される電圧の位相を、試験電流と所定の位相差を持つように電圧位相調整器７９で調整することにより、白相についての１相宛て試験を行う。この１相宛て試験が終了すると、作業員は、試験回路７０の電流調整器７３を調整して試験電流を流すのを止める。
【００４４】
（青相について１相宛て試験を行う場合）
図４に示すように、第４のスイッチ３３を開くとともに、第５のスイッチ３４を閉じる。これにより、矢印で示すように次の電流経路が形成される。
【００４５】
試験回路７０の試験電流出力端子７１
→ＣＴ１次試験用回路切替装置１０の試験電流入力端子１１から第１及び第２のスイッチ２１，２２を通って第３の出力端子５３へ至る第３の電流経路
→第１の断路器８１と変流器８０とを接続する送電線の青相
→変流器８０
→変流器８０と第２の断路器８２とを接続する送電線の青相
→ＣＴ１次試験用回路切替装置１０の第３の入力端子６３から第５のスイッチ３４を通って試験電流出力端子１２へ至る第８の電流経路
→試験回路７０の試験電流入力端子７２。
【００４６】
作業員は、試験回路７０の電流調整器７３を調整して所定の電流値の試験電流を流すとともに、継電装置９０に入力される電圧の位相を、試験電流と所定の位相差を持つように電圧位相調整器７９で調整することにより、青相についての１相宛て試験を行う。この１相宛て試験が終了すると、作業員は、試験回路７０の電流調整器７３を調整して試験電流を流すのを止める。
【００４７】
次に「タスキがけ試験」を行う場合、作業員は、ＣＴ１次試験用回路切替装置１０の第６のスイッチ３１を閉じて第３〜第５のスイッチ３２〜３４の第１端子を接地する。
【００４８】
続いて、図５に示すように、第１及び第２のスイッチ２１，２２を各々の第２端子と第３端子が接続するようにそれぞれ閉じるとともに、第６のスイッチ３１を開き、第３〜第５のスイッチ３２〜３４のうちの第５のスイッチ３４のみを閉じる。これにより、矢印で示すように次の電流経路が形成される。
【００４９】
試験回路７０の試験電流出力端子７１
→ＣＴ１次試験用回路切替装置１０の試験電流入力端子１１から第１の出力端子５１へ至る第１の電流経路
→第１の断路器８１と変流器８０とを接続する送電線の赤相
→変流器８０
→変流器８０と第２の断路器８２とを接続する送電線の赤相
→ＣＴ１次試験用回路切替装置１０の第１の入力端子６１から第１のスイッチ２１を通って第２の出力端子５２へ至る第４の電流経路
→第１の断路器８１と変流器８０とを接続する送電線の白相
→変流器８０
→変流器８０と第２の断路器８２とを接続する送電線の白相
→ＣＴ１次試験用回路切替装置１０の第２の入力端子６２から第２のスイッチ２２を通って第３の出力端子５３へ至る第５の電流経路
→第１の断路器８１と変流器８０とを接続する送電線の青相
→変流器８０
→変流器８０と第２の断路器８２とを接続する送電線の青相
→ＣＴ１次試験用回路切替装置１０の第３の入力端子６３から第５のスイッチ３４を通って試験電流出力端子１２へ至る第８の電流経路
→試験回路７０の試験電流入力端子７２。
【００５０】
作業員は、試験回路７０の電流調整器７３を調整して所定の電流値の試験電流を流すとともに、継電装置９０に入力される電圧の位相を、試験電流と所定の位相差を持つように電圧位相調整器７９で調整することにより、タスキがけ試験を行う。
【００５１】
以上のように、作業員は、ＣＴ１次試験用回路切替装置１０のスイッチ操作を行うだけでＣＴ１次試験を行うことができるので、短い作業時間でＣＴ１次試験を行うことができる。また、従来のケーブルを切替操作時に手で触ることがないため、作業員がＣＴ１次試験実施中に感電することを防止することができる。
【００５２】
以上の実施例においては、第１及び第２のスイッチ２１，２２として３端子スイッチを用いているが、３端子スイッチに代えて、２端子スイッチを用いてもよい。その場合、図６に示すように、第１のスイッチ２１は、第２の電流経路となる第１の出力端子５１と第２の出力端子５２との間、及び第４の電流経路となる第１の入力端子６１と第２の出力端子５２との間に設けた一対の２端子スイッチ１０１及び１０２で構成され、第２のスイッチ２２は、第３の電流経路となる第２の出力端子５２と第３の出力端子５３との間、及び第５の電流経路となる第２の入力端子６２と第３の出力端子５３との間に設けた他の一対の２端子スイッチ１０３及び１０４で構成される。そして、各一対の２端子スイッチは、以下のように連動して開閉されるものとする。
【００５３】
（１）赤相について１相宛て試験を行うときには、作業員は、第２及び第３の電流経路となる２端子スイッチ１０１及び１０３を閉じ、第４及び第５の電流経路となる２端子スイッチ１０２及び１０４を開く。そして、第６のスイッチ３１を開くとともに、第３〜第５のスイッチ３２〜３４のうちの第３のスイッチ３２のみを閉じる。
（２）白相について１相宛て試験を行うときには、作業員は、第２及び第３の電流経路となる２端子スイッチ１０１及び１０３を閉じ、第４及び第５の電流経路となる２端子スイッチ１０２及び１０４を開く。そして、第６のスイッチ３１を開くとともに、第３〜第５のスイッチ３２〜３４のうちの第４のスイッチ３３のみを閉じる。
（３）青相について１相宛て試験を行うときには、作業員は、第２及び第３の電流経路となる２端子スイッチ１０１及び１０３を閉じ、第４及び第５の電流経路となる２端子スイッチ１０２及び１０４を開く。そして、第６のスイッチ３１を開くとともに、第３〜第５のスイッチ３２〜３４のうちの第５のスイッチ３４のみを閉じる。
（４）タスキがけ試験を行うときには、作業員は、第２及び第３の電流経路となる２端子スイッチ１０１及び１０３を開き、第４及び第５の電流経路となる２端子スイッチ１０２及び１０４を閉じる。そして、第６のスイッチ３１を開くとともに、第３〜第５のスイッチ３２〜３４のうちの第５のスイッチ３４のみを閉じる。
【００５４】
以上の実施例では、作業員は、第１及び第２のスイッチ２１，２２と第３〜第５のスイッチ３１〜３４をそれぞれ開閉したが、赤相用１相宛て試験用制御スイッチ、白相用１相宛て試験用制御スイッチ、青相用１相宛て試験用制御スイッチ、及びタスキがけ試験用制御スイッチをそれぞれ設けて、作業員がこれらの制御スイッチを押すことにより、以下のようにして第１及び第２のスイッチ２１，２２と第３〜第５のスイッチ３１〜３４をそれぞれ同時に又は連動させて開閉してもよい。
（１）作業員が赤相用１相宛て試験用制御スイッチを押したときには、第２及び第３の電流経路が形成されるように第１及び第２のスイッチ２１，２２を設定するとともに、第３のスイッチ３２を閉じる。
（２）作業員が白相用１相宛て試験用制御スイッチを押したときには、第２及び第３の電流経路が形成されるように第１及び第２のスイッチ２１，２２を設定するとともに、第４のスイッチ３３を閉じる。
（３）作業員が青相用１相宛て試験用制御スイッチを押したときには、第２及び第３の電流経路が形成されるように第１及び第２のスイッチ２１，２２を設定するとともに、第５のスイッチ３４を閉じる。
（４）作業員がタスキがけ試験用制御スイッチを押したときには、第４及び第５の電流経路が形成されるように第１及び第２のスイッチ２１，２２を設定するとともに、第４の２端子スイッチ３４を閉じる。
【００５５】
上記のように、本発明のＣＴ１次試験用回路切替装置及び切替方法は、変流器を含む保護継電器の諸特性を確認するための試験であるＣＴ１次試験に好適に使用される。
【図面の簡単な説明】
【００５６】
【図１】本発明のＣＴ１次試験用回路切替装置の一実施例の構成を示すブロック図である。
【図２】図１に示したＣＴ１次試験用回路切替装置を用いて赤相についての１相宛て試験を行う場合の説明図である。
【図３】図１に示したＣＴ１次試験用回路切替装置を用いて白相についての１相宛て試験を行う場合の説明図である。
【図４】図１に示したＣＴ１次試験用回路切替装置を用いて青相についての１相宛て試験を行う場合の説明図である。
【図５】図１に示したＣＴ１次試験用回路切替装置用いてタスキがけ試験を行う場合の説明図である。
【図６】本発明のＣＴ１次試験用回路切替装置の他の実施例の構成を示すブロック図である。
【図７】１相宛て試験の説明図である。
【図８】タスキがけ試験の説明図である。
【図９】１相宛て試験を行うときの従来の作業手順の説明図である。
【図１０】図９に続く作業手順の説明図である。
【図１１】図１０に続く作業手順の説明図である。
【図１２】図１１に続く作業手順の説明図である。
【図１３】タスキがけ試験を行うときの従来の作業手順の説明図である。
【図１４】図１３に続く作業手順の説明図である。
【図１５】図１４に続く作業手順の説明図である。
【図１６】図１５に続く作業手順の説明図である。
【符号の説明】
【００５７】
１０…ＣＴ１次試験用回路切替装置、１１…試験電流入力端子、１２…試験電流出力端子、２１，２２…３端子スイッチ、３１〜３４…２端子スイッチ、４１，４２…接地端子、５１〜５３…出力端子、６１〜６３…入力端子、７０…試験回路、７１…試験電流出力端子、７２…試験電流入力端子、７３…電流調整器、７４，７６…電流計、７５…トランス、７７…位相計、７８…電圧計、７９…電圧位相調整器、８０…変流器、８１，８２…断路器、９０…継電装置。
【図１】
2007037309.tif 000003
【図２】
2007037309.tif 000004
【図３】
2007037309.tif 000005
【図４】
2007037309.tif 000006
【図５】
2007037309.tif 000007
【図６】
2007037309.tif 000008
【図７】
2007037309.tif 000009
【図８】
2007037309.tif 000010
【図９】
2007037309.tif 000011
【図１０】
2007037309.tif 000012
【図１１】
2007037309.tif 000013
【図１２】
2007037309.tif 000014
【図１３】
2007037309.tif 000015
【図１４】
2007037309.tif 000016
【図１５】
2007037309.tif 000017
【図１６】
2007037309.tif 000018